(57)【特許請求の範囲】
【請求項１】
画面を複数の領域に分割して測光し、各領域における測光値を出力する測光部と、
前記測光部から出力された複数の測光値のばらつきの範囲を求める演算部と、
前記複数の測光値のうち、測光値に基づく値が前記ばらつきの範囲に基づく所定値以下となる測光値と、被写体の特徴となる情報とに基づいて第１輝度値を算出する算出部と
を備えたことを特徴とする測光装置。
【請求項２】
請求項１に記載の測光装置において、
前記演算部は、前記各領域に対する測光値の標準偏差と、平均偏差と、ヒストグラムとの少なくとも一つに基づいて、前記ばらつきの範囲を求める
ことを特徴とする測光装置。
【請求項３】
請求項１または請求項２に記載の測光装置において、
前記被写体の特徴となる情報は、前記画面の中央周辺における平均輝度値、最大輝度値、最小輝度値、および、前記画面の上部と前記画面の下部との輝度差の少なくとも１つであり、前記平均輝度値、前記最大輝度値、前記最小輝度値は、前記画面の中央周辺の複数の領域における測光値に基づく
ことを特徴とする測光装置。
【請求項４】
請求項１から請求項３の何れか１項に記載の測光装置において、
前記算出部は、前記複数の測光値のうち、前記画面に対応する全ての測光値に基づいて、第２輝度値を算出し、前記第１輝度値と前記第２輝度値とを加重平均して第３輝度値を算出する
ことを特徴とする測光装置。
【請求項５】
請求項４に記載の測光装置において、
前記算出部は、前記複数の測光値の最大値と最小値との差を求め、前記差が所定の値未満である場合は前記第２輝度値のみを用いて前記第３輝度値を算出する
ことを特徴とする測光装置。
【請求項６】
請求項１に記載の測光装置において、
前記算出部は、前記複数の測光値のうち、測光値に基づく値が前記ばらつきの範囲に基づく所定値以下となる測光値と、前記複数の測光値のうち、前記画面に対応する全ての測光値とに基づいて、第２輝度値を算出し、前記第１輝度値と前記第２輝度値とを加重平均して第３輝度値を算出する
ことを特徴とする測光装置。
【請求項７】
請求項６に記載の測光装置において、
前記算出部は、前記画面内の被写体分布と、撮影条件との少なくとも一方に応じて、前記加重平均時の重み付けを決定する
ことを特徴とする測光装置。
【請求項８】
請求項７に記載の測光装置において、
前記算出部は、前記撮影条件が、高輝度部分を重視した露出制御を行う撮影条件である場合には、前記第２輝度値の重みを前記第１輝度値の重みよりも大きくする
ことを特徴とする測光装置。
【請求項９】
請求項１から請求項８の何れか１項に記載の測光装置と、
光学系による像を撮像する撮像部と、
前記算出部による算出結果に基づいて、前記撮像部における露出量を求める露出演算部と
を備えたことを特徴とするカメラ。
【発明の詳細な説明】
【技術分野】
【０００１】
本発明は、測光装置およびカメラに関する。
【背景技術】
【０００２】
従来より、画面を複数領域に分割して各領域の測光値に基づいて露出制御用の輝度値を求める多分割測光方式に関する様々な技術が提案されている。
【０００３】
出願人は、特許文献１の発明において、分割測光による測光値のうち相対的に高い測光値を示すハイライト領域の分布に基づいて露出演算を行う技術を提案している。
【先行技術文献】
【特許文献】
【０００４】
【特許文献１】特開２００８−９６５１７号公報
【発明の概要】
【発明が解決しようとする課題】
【０００５】
ところで、画面には被写体によって様々な状態があり、例えば、点光源など、面積が小さいながらも特異な性質を持つ部分が存在する場合には、適切な露出演算を行うことが困難である場合がある。
【０００６】
本発明は上記従来技術の課題を解決するためのものであって、その目的は、画面に特異な部分が存在する場合であっても適正な測光を行うことである。
【課題を解決するための手段】
【０００７】
本発明の測光装置は、画面を複数の領域に分割して測光し、各領域における測光値を出力する測光部と、前記測光部から出力された複数の測光値のばらつきの範囲を求める演算部と、前記複数の測光値のうち、測光値に基づく値が前記ばらつきの範囲に基づく所定値以下となる測光値と、被写体の特徴となる情報とに基づいて第１輝度値を算出する算出部とを備える。
【０００８】
なお、前記演算部は、前記各領域に対する測光値の標準偏差と、平均偏差と、ヒストグラムとの少なくとも一つに基づいて、前記ばらつきの範囲を求めても良い。
【０００９】
また、前記被写体の特徴となる情報は、前記画面の中央周辺における平均輝度値、最大輝度値、最小輝度値、および、前記画面の上部と前記画面の下部との輝度差の少なくとも１つであり、前記平均輝度値、前記最大輝度値、前記最小輝度値は、前記画面の中央周辺の複数の領域における測光値に基づいても良い。
また、前記算出部は、前記複数の測光値のうち、前記画面に対応する全ての測光値に基づいて、第２輝度値を算出し、前記第１輝度値と前記第２輝度値とを加重平均して第３輝度値を算出しても良い。
【００１１】
また、前記算出部は、前記複数の測光値の最大値と最小値との差を求め、前記差が所定の値未満である場合は前記第２輝度値のみを用いて前記第３輝度値を算出しても良い。
【００１２】
また、前記算出部は、前記複数の測光値のうち、測光値に基づく値が前記ばらつきの範囲に基づく所定値以下となる測光値と、前記複数の測光値のうち、前記画面に対応する全ての測光値とに基づいて、第２輝度値を算出し、前記第１輝度値と前記第２輝度値とを加重平均して第３輝度値を算出しても良い。
【００１３】
また、前記算出部は、前記画面内の被写体分布と、撮影条件との少なくとも一方に応じて、前記加重平均時の重み付けを決定しても良い。
【００１４】
また、前記算出部は、前記撮影条件が、高輝度部分を重視した露出制御を行う撮影条件である場合には、前記第２輝度値の重みを前記第１輝度値の重みよりも大きくしても良い。
【００１５】
本発明のカメラは、上述した何れかの測光装置と、光学系による像を撮像する撮像部と、前記算出部による算出結果に基づいて、前記撮像部における露出量を求める露出演算部とを備える。
【発明の効果】
【００１７】
本発明によれば、画面に特異な部分が存在する場合であっても適正な測光を行うことができる。
【図面の簡単な説明】
【００１８】
【図１】第１実施形態の電子カメラの構成を示す図
【図２】分割測光素子の分割領域を示す図
【図３】分割測光素子の分割領域のグループ化を示す図
【図４】第１実施形態の撮影の流れを示す図
【図５】第２実施形態の撮影の流れを示す図
【発明を実施するための形態】
【００１９】
以下、図面に基づいて本発明の実施形態を詳細に説明する。
【００２０】
（第１実施形態の説明）
図１は、本発明のカメラの測光装置が組み込まれた第１実施形態の電子カメラを示す図である。
【００２１】
第１実施形態の電子カメラは、カメラ本体１と、撮影レンズ２ａが収容されたレンズユニット２とから構成される。ここで、レンズユニット２はカメラ本体１に対して交換可能に装着される。また、カメラ本体１は、観察位置と退避位置とを切り替え可能なクイックリターンミラー３と、フォーカルプレーンシャッタ４と、被写体像を光電変換する撮像素子５と、光学ファインダ系と、測光用再結像レンズ６および分割測光素子７と、制御部８とを有している。
【００２２】
クイックリターンミラー３、フォーカルプレーンシャッタ４および撮像素子５は、撮影レンズ２ａの光軸に沿って配置され、光学ファインダ系はクイックリターンミラー３の上部領域に配置されている。ここで、観察位置のクイックリターンミラー３は、撮影レンズ２ａから撮像素子５までの撮影光路と交差し、撮影レンズ２ａを通過した光束を上方に反射させて光学ファインダ系に導くようになっている。
【００２３】
一方、退避位置のクイックリターンミラー３は観察位置から上方に跳ね上げられた状態にある。クイックリターンミラー３が退避位置にある場合には、撮影レンズ２ａを通過した光束はフォーカルプレーンシャッタ４および撮像素子５に導かれ、撮像素子５の画像信号に基づいて被写体の撮影画像データを生成することができる。なお、クイックリターンミラー３の中央部は光を透過するハーフミラーとなっている。そして、観察位置のクイックリターンミラー３を透過した一部の光束はサブミラーによって下方に屈折され、焦点検出ユニットに導かれるようになっている（サブミラーおよび焦点検出ユニットの図示は省略する）。
【００２４】
光学ファインダ系は、拡散スクリーン９と、コンデンサレンズ１０と、ペンタプリズム１１と、接眼レンズ１２とを有している。拡散スクリーン９はクイックリターンミラー３の上方に配置され、観察位置のクイックリターンミラー３が反射した光束を一旦結像させる。拡散スクリーン９で結像した光束はコンデンサレンズ１０およびペンタプリズム１１を通過し、接眼レンズ１２を介して撮影者の目に到達するようになっている。
【００２５】
測光用再結像レンズ６および分割測光素子７はペンタプリズム１１の近傍に配置される。測光用再結像レンズ６は拡散スクリーン９で結像した光束の一部を再結像し、分割測光素子７は再結像されたファインダ像の分割測光を実行する。ここで、第１実施形態の分割測光素子７は、被写界を１６０分割（１６×１０）して各分割領域の測光値をそれぞれ検出できるようになっている（図２参照）。
【００２６】
制御部８は、例えば、撮影機構の駆動制御や、撮影画像データの生成等に関する画像処理の制御などを制御する。また、制御部８は分割測光素子７の出力に基づいて電子カメラの露出演算を実行し、この演算結果に基づいて撮影時の露出を制御する。
【００２７】
ここで、制御部８は、分割測光素子７の各分割領域を第１グループから第５グループにグループ化し、グループ毎の測光値（Ｇ［１］〜Ｇ［５］）に基づいて被写界の代表輝度値ＢｖＡｎｓを演算する（図３参照）。そして、制御部８は輝度値ＢｖＡｎｓに基づいて撮影時の露出量を決定する。
【００２８】
第１実施形態の電子カメラは上記のように構成され、以下、その撮影時の動作を図４の流れ図に沿って説明する。ユーザ操作などに基づいて撮影準備指示が行われると、制御部８は、以下の動作を行う。
【００２９】
ステップＳ１：制御部８は、分割測光素子７の出力に基づいて１６０分割された各分割領域の測光値をそれぞれ検出する。なお、本明細書での各分割領域の測光値の表記は、例えば、分割測光素子７の左下を基点として第ｖ行目第ｈ列目の分割領域の測光値であればＶｏ［ｈ，ｖ］のように示す。
【００３０】
ステップＳ２：制御部８は、ステップＳ１で検出した測光値の平均値ＡｖｅＶｏと、標準偏差σとを算出する。平均値ＡｖｅＶｏおよび標準偏差σは次式により求められる。
【００３１】
ＡｖｅＶｏ＝ＳＵＭ（Ｖｏ［１，１］．．Ｖｏ［１６，１０］）／１６０・・・（式１）
【００３２】
【数１】
0005581649.tif 000002
【００３３】
ただし、式（１）において、ＳＵＭ（Ｖｏ［ｘ１，ｙ１］．．Ｂ［ｘ２，ｙ２］）は分割領域［ｘ１，ｙ１］，［ｘ２，ｙ１］，［ｘ１，ｙ２］，［ｘ２，ｙ２］が４隅となる矩形範囲（グループ）の測光値の合計を返す関数である。また、分母の１６０は、分割測光素子７の分割数に相当する。さらに、式２中のΣは、ｈ＝１〜１６、ｖ＝１〜１０についての合計を示す。
【００３４】
ステップＳ３：制御部８は、分割測光素子７の出力に基づいて１６０分割された各分割領域のそれぞれについて、フラグＳ［ｈ，ｖ］を作成する。フラグＳ［ｈ，ｖ］は、次式により求められる。
【００３５】
【数２】
0005581649.tif 000003
【００３６】
ただし、式（３）において、ＡＢＳ（ｘ）はｘの絶対値を返す関数であり、αは、予め実験などにより求められた所定の係数である。
【００３７】
例えば、α＝２〜３である場合、フラグＳ［ｈ，ｖ］＝１に対応する被写体は、撮影シーンに占める面積が小さく、かつ、その他の領域の被写体と輝度が極端に異なる被写体である。このような被写体は、一般的に白トビまたは黒ツブレしても構わない。
【００３８】
上述した式（３）によりフラグを作成すると、撮影シーンの大部分の領域が薄暗く、かつ、一様な輝度分布であって、そこに点光源などの特異な被写体が写り込んだ場合には、点光源に相当する部分のフラグＳ［ｈ，ｖ］＝１になり、それ以外の領域に対応するフラグＳ［ｈ，ｖ］＝０となる。
【００３９】
ステップＳ４：制御部８は、ステップＳ３で作成したフラグがＳ［ｈ，ｖ］＝０である分割領域の測光値（ステップＳ１で検出した測光値）に基づいて、第１グループから第５グループのグループ測光値（Ｇ［１］〜Ｇ［５］）を次式によって演算する。なお、中央に位置する第１グループは、４８個（８×６）の分割領域で構成され、４隅に位置する第２グループから第５グループの各グループは、それぞれ４０個（８×５）の分割領域で構成される。また、第１グループは第２グループから第５グループと重なり合うように設定されている（図３参照）。
【００４０】
Ｇ［１］＝ＳＵＭ（Ｖｏ［５，３］．．Ｖｏ［１２，８］）／ｎ１・・・（式４）
Ｇ［２］＝ＳＵＭ（Ｖｏ［１，６］．．Ｖｏ［８，１０］）／ｎ２・・・（式５）
Ｇ［３］＝ＳＵＭ（Ｖｏ［９，６］．．Ｖｏ［１６，１０］）／ｎ３・・・（式６）
Ｇ［４］＝ＳＵＭ（Ｖｏ［１，１］．．Ｖｏ［８，５］）／ｎ４・・・（式７）
Ｇ［５］＝ＳＵＭ（Ｖｏ［９，１］．．Ｖｏ［１６，５］）／ｎ５・・・（式８）
式（４）から式（８）において、ＳＵＭ（Ｖｏ［ｘ１，ｙ１］．．Ｂ［ｘ２，ｙ２］）は上述した式１と同様の関数である。また、ｎ１からｎ５は、各々のグループにおいて、グループ測光値の積算対象となった分割領域の数、すなわち、ステップＳ３で作成したフラグがＳ［ｈ，ｖ］＝０を満たす分割領域の数を示す。
【００４１】
ステップ５：制御部８は、中央に位置する第１グループを除く各グループ測光値Ｇ［２］〜Ｇ［５］に基づいて、平均輝度値ＢｖＭｅａｎを演算する。平均輝度値ＢｖＭｅａｎは、次式により求められる。
【００４２】
ＢｖＭｅａｎ＝（Ｇ［２］＋Ｇ［３］＋Ｇ［４］＋Ｇ［５］）／４・・・（式９）
ステップＳ６：制御部８は、各グループ測光値Ｇ［１］〜Ｇ［５］に基づいて、中央部の輝度ＢｖＣ、最大輝度ＢｖＭａｘ、最小輝度ＢｖＭｉｎ、画面上部と画面下部の輝度差ｄＨＥ等の被写体の特徴となる情報を、次式によって演算する。
【００４３】
ＢｖＣ＝Ｇ［１］・・・（式１０）
ＢｖＭａｘ＝ＭＡＸ（Ｇ［１］．．Ｇ［５］）・・・（式１１）
ＢｖＭｉｎ＝ＭＩＮ（Ｇ［１］．．Ｇ［５］）・・・（式１２）
ｄＨＥ＝ＡＢＳ｛（Ｇ［２］＋Ｇ［３］）／２−（Ｇ［４］＋Ｇ［５］）／２｝・・・（式１３）
ただし、式（１１）において、ＭＡＸ（ｘ［１］．．ｘ［ｎ］）はｘ［１］からｘ［ｎ］までの最大値を返す関数である。また、（式１２）において、ＭＩＮ（ｘ［１］．．ｘ［ｎ］）はｘ［１］からｘ［ｎ］までの最小値を返す関数である。また、（式１３）において、ＡＢＳ（ｘ）はｘの絶対値を返す関数である。  
【００４４】
ステップＳ７：制御部８は、ステップＳ５で求めた平均輝度値ＢｖＭｅａｎおよびステップＳ６で求めた被写体の特徴となる情報（ＢｖＣ、ＢｖＭａｘ、ＢｖＭｉｎ、ｄＨＥ）にそれぞれ重み係数Ｋ１〜Ｋ５を乗算し、シーンの代表輝度値ＢｖＡｎｓを演算する。なお、代表輝度値ＢｖＡｎｓは、次式により求められる。
【００４５】
ＢｖＡｎｓ＝Ｋ１×ＢｖＭｅａｎ＋Ｋ２×ＢｖＣ＋Ｋ３×ＢｖＭａｘ＋Ｋ４×ＢｖＭｉｎ＋Ｋ５×ｄＨＥ・・・（式１４）
ただし、式（１４）において、重み係数Ｋ１〜Ｋ５は、実験などにより求められた所定の係数である。
【００４６】
ステップＳ８：制御部８は、ステップＳ７で求めた代表輝度値ＢｖＡｎｓに基づいて露出演算を行う。制御部８は、代表輝度値ＢｖＡｎｓに基づいて、シャッター速度、レンズユニット２に含まれる不図示の絞りの絞り量、撮像素子の感度を求める。
【００４７】
ステップＳ９：制御部８は、ユーザ操作により撮影開始指示が行われたか否かを判定する。撮影開始指示が行われたと判定すると、制御部８は、ステップＳ１０に進む。一方、所定の時間を経過しても撮影開始指示が行われないと判定すると、制御部８は、ステップＳ１に戻る。
【００４８】
ステップＳ１０：制御部８は、各部を制御して撮影動作を行い、画像を生成する。なお、制御部８は、ステップＳ８で演算した露出量にしたがって撮影動作を行う。
【００４９】
以下、上記第１実施形態の効果を説明する。第１実施形態の電子カメラでは、測光部により求めた各分割領域の測光値のばらつきの範囲を求め、各分割領域の測光値のうち、ばらつきの範囲に基づく所定の範囲に属する測光値に基づいて、画面の明るさを代表する第１代表輝度値を算出する。そのため、画面に特異な部分が存在する場合であっても適正な測光を行うことができる。
【００５０】
第１実施形態では、図４のステップＳ３およびステップＳ４で説明したように、各分割領域の測光値のうち、所定のばらつきの範囲に属する分割領域の測光値に基づいて露出演算を行う。そのため、所定のばらつきの範囲に収まらない分割領域の測光値を除外することができる。言い換えれば、局所的かつ相対的に高い測光値を示すか、または、局所的かつ相対的に低い測光値を示す局所領域を露出演算の対象から除外することができる。
【００５１】
したがって、例えば、薄暗く一様な輝度分布のシーンにおいて、急に画面の隅に点光源が写り込んだ場合であっても、この点光源の影響を抑え、適正な測光を行うことができる。すなわち、点光源がハイライトとなり、その点光源が含まれる分割領域の測光値に大きな影響を与えたり、画面全体の平均輝度値に影響を与えたりするという問題を回避することができる。なお、画面に黒点が写り込んだ場合についても同様である。
【００５２】
（第２実施形態の説明）
第２実施形態は、第１実施形態の変形例である。なお、第２実施形態の説明では第１実施形態との相違点のみを説明し、共通部分の説明は省略する。
【００５３】
第２実施形態の電子カメラは第１実施形態の電子カメラと同様の構成を有する。以下では、第１実施形態と同様の符号を用いて説明する。第２実施形態の電子カメラの撮影時の動作を図５の流れ図に沿って説明する。ユーザ操作などに基づいて撮影準備指示が行われると、制御部８は、以下の動作を行う。
【００５４】
ステップＳ２１：制御部８は、第１実施形態のステップＳ１と同様に、分割測光素子７の出力に基づいて１６０分割された各分割領域の測光値をそれぞれ検出する。
【００５５】
ステップＳ２２：制御部８は、各画素の輝度値Ｖｏ［ｈ，ｖ］の最大値と最小値との差である輝度差を求め、求めた輝度差≧Ｔｈであるか否かを判定する。輝度差≧Ｔｈであると判定すると、制御部８は、ステップＳ２３に進む。一方、輝度差＜Ｔｈであると判定すると、制御部８は、後述するステップＳ３４に進む。なお、Ｔｈは、予め実験などで求められた所定の閾値である。
【００５６】
ステップＳ２３〜ステップＳ２７：制御部８は、第１実施形態のステップＳ２〜ステップＳ６と同様の処理を行う。
【００５７】
ステップＳ２８：制御部８は、ステップＳ２６で求めた平均輝度値ＢｖＭｅａｎおよびステップＳ２７で求めた被写体の特徴となる情報（ＢｖＣ、ＢｖＭａｘ、ＢｖＭｉｎ、ｄＨＥ）にそれぞれ重み係数Ｋ１〜Ｋ５を乗算し、シーンの第１代表輝度値ＢｖＡｎｓ１を演算する。なお、第１代表輝度値ＢｖＡｎｓ１は、次式により求められる。
【００５８】
ＢｖＡｎｓ１＝Ｋ１×ＢｖＭｅａｎ＋Ｋ２×ＢｖＣ＋Ｋ３×ＢｖＭａｘ＋Ｋ４×ＢｖＭｉｎ＋Ｋ５×ｄＨＥ・・・（式１５）
ただし、式（１５）において、重み係数Ｋ１〜Ｋ５は、第１実施形態のステップＳ７と同様に、実験などにより求められた所定の係数である。
【００５９】
ステップＳ２９：制御部８は、ステップＳ２４で作成したフラグにかかわらず、ステップＳ２１で検出した全ての測光値に基づいて、第１グループから第５グループのグループ測光値（Ｇ’［１］〜Ｇ’［５］）を次式によって演算する。なお、各グループは、第１実施形態の図３で説明したものと同様である。
【００６０】
Ｇ’［１］＝ＳＵＭ（Ｖｏ［５，３］．．Ｖｏ［１２，８］）／ｎ１・・・（式１６）
Ｇ’［２］＝ＳＵＭ（Ｖｏ［１，６］．．Ｖｏ［８，１０］）／ｎ２・・・（式１７）
Ｇ’［３］＝ＳＵＭ（Ｖｏ［９，６］．．Ｖｏ［１６，１０］）／ｎ３・・・（式１８）
Ｇ’［４］＝ＳＵＭ（Ｖｏ［１，１］．．Ｖｏ［８，５］）／ｎ４・・・（式１９）
Ｇ’［５］＝ＳＵＭ（Ｖｏ［９，１］．．Ｖｏ［１６，５］）／ｎ５・・・（式２０）
式（１６）から式（２０）は、第１実施形態の式（４）から式（８）とそれぞれ対応する。
【００６１】
ステップＳ３０：制御部８は、ステップＳ２９で演算した各グループ測光値Ｇ’［１］〜Ｇ’［５］に基づいて、中央部の輝度ＢｖＣ２、最大輝度ＢｖＭａｘ２、最小輝度ＢｖＭｉｎ２、画面上部と画面下部の輝度差ｄＨＥ２等の被写体の特徴となる情報を、次式によって演算する。なお、これらの情報は、ステップＳ２７で説明した各情報とは異なり、ステップＳ２１で検出した全ての測光値に基づく情報である。
【００６２】
ＢｖＣ２＝Ｇ’［１］・・・（式２１）
ＢｖＭａｘ２＝ＭＡＸ（Ｇ’［１］．．Ｇ’［５］）・・・（式２２）
ＢｖＭｉｎ２＝ＭＩＮ（Ｇ’［１］．．Ｇ’［５］）・・・（式２３）
ｄＨＥ２＝ＡＢＳ｛（Ｇ’［２］＋Ｇ’［３］）／２−（Ｇ’［４］＋Ｇ’［５］）／２｝・・・（式２４）
式（２１）から式（２４）は、第１実施形態の式（１０）から式（１３）とそれぞれ対応する。
【００６３】
ステップＳ３１：制御部８は、ステップＳ２６で求めた平均輝度値ＢｖＭｅａｎおよびステップＳ３０で求めた被写体の特徴となる情報（ＢｖＣ２、ＢｖＭａｘ２、ＢｖＭｉｎ２、ｄＨＥ２）にそれぞれ重み係数Ｋ６〜Ｋ１０を乗算し、シーンの第２代表輝度値ＢｖＡｎｓ２を演算する。なお、第２代表輝度値ＢｖＡｎｓ２は、次式により求められる。
【００６４】
ＢｖＡｎｓ２＝Ｋ６×ＢｖＭｅａｎ＋Ｋ７×ＢｖＣ２＋Ｋ８×ＢｖＭａｘ２＋Ｋ９×ＢｖＭｉｎ２＋Ｋ１０×ｄＨＥ２・・・（式２５）
ただし、式（２５）において、重み係数Ｋ６〜Ｋ１０は、実験などにより求められた所定の係数である。
【００６５】
ステップＳ３２：制御部８は、ステップＳ２８で求めた第１代表輝度値ＢｖＡｎｓ１およびステップＳ３１で求めた第２代表輝度値ＢｖＡｎｓ２と、重み係数Ｋ１１とに基づいて、シーンの第３代表輝度値ＢｖＡｎｓ３を演算する。なお、第３代表輝度値ＢｖＡｎｓ３は、次式により求められる。
【００６６】
ＢｖＡｎｓ３＝ＢｖＡｎｓ１×Ｋ１１＋ＢｖＡｎｓ２×（１−Ｋ１１）・・・（式２６）
ただし、式（２６）において、重み係数Ｋ１１は、０〜１の範囲の所定値である。重み係数Ｋ１１の詳細は後述する。
【００６７】
ステップＳ３３：制御部８は、ステップＳ３２で求めた第３代表輝度値ＢｖＡｎｓ３に基づいて露出演算を行う。制御部８は、第３代表輝度値ＢｖＡｎｓ３に基づいて、シャッター速度、レンズユニット２に含まれる不図示の絞りの絞り量、撮像素子の感度を求める。
【００６８】
ステップＳ３４：制御部８は、ステップＳ２９と同様に、ステップＳ２４で作成したフラグにかかわらず、ステップＳ２１で検出した全ての測光値に基づいて、第１グループから第５グループのグループ測光値（Ｇ’［１］〜Ｇ’［５］）を演算する。
【００６９】
ステップＳ３５：制御部８は、中央に位置する第１グループを除く各グループ測光値Ｇ’［２］〜Ｇ’［５］に基づいて、平均輝度値ＢｖＭｅａｎ２を演算する。平均輝度値ＢｖＭｅａｎ２は、次式により求められる。
【００７０】
ＢｖＭｅａｎ２＝（Ｇ’［２］＋Ｇ’［３］＋Ｇ’［４］＋Ｇ’［５］）／４・・・（式２７）
ステップＳ３６：制御部８は、ステップＳ３０と同様に、ステップＳ３４で演算した各グループ測光値Ｇ’［１］〜Ｇ’［５］に基づいて、中央部の輝度ＢｖＣ２、最大輝度ＢｖＭａｘ２、最小輝度ＢｖＭｉｎ２、画面上部と画面下部の輝度差ｄＨＥ２等の被写体の特徴となる情報を演算する。
【００７１】
ステップＳ３７：制御部８は、ステップＳ３５で求めた平均輝度値ＢｖＭｅａｎ２およびステップＳ３６で求めた被写体の特徴となる情報（ＢｖＣ２、ＢｖＭａｘ２、ＢｖＭｉｎ２、ｄＨＥ２）にそれぞれ重み係数Ｋ１２〜Ｋ１６を乗算し、シーンの第４代表輝度値ＢｖＡｎｓ４を演算する。なお、第４代表輝度値ＢｖＡｎｓ４は、次式により求められる。
【００７２】
ＢｖＡｎｓ４＝Ｋ１２×ＢｖＭｅａｎ２＋Ｋ１３×ＢｖＣ２＋Ｋ１４×ＢｖＭａｘ２＋Ｋ１５×ＢｖＭｉｎ２＋Ｋ１６×ｄＨＥ２・・・（式２８）
ただし、式（２８）において、重み係数Ｋ１２〜Ｋ１６は、第１実施形態のステップＳ７と同様に、実験などにより求められた所定の係数である。
【００７３】
ステップＳ３８：制御部８は、ステップＳ３７で求めた第４代表輝度値ＢｖＡｎｓ４に基づいて露出演算を行う。制御部８は、第４代表輝度値ＢｖＡｎｓ４に基づいて、シャッター速度、レンズユニット２に含まれる不図示の絞りの絞り量、撮像素子の感度を求める。
【００７４】
ステップＳ３９：制御部８は、ユーザ操作により撮影開始指示が行われたか否かを判定する。撮影開始指示が行われたと判定すると、制御部８は、ステップＳ４０に進む。一方、所定の時間を経過しても撮影開始指示が行われないと判定すると、制御部８は、ステップＳ２１に戻る。
【００７５】
ステップＳ４０：制御部８は、各部を制御して撮影動作を行い、画像を生成する。なお、制御部８は、ステップＳ３３またはステップＳ３８で演算した露出量にしたがって撮影動作を行う。
【００７６】
次に、ステップＳ３２で述べた重み係数Ｋ１１について説明する。式２６において、重み係数Ｋ１１を変更すると、第１代表輝度値ＢｖＡｎｓ１と第２代表輝度値ＢｖＡｎｓ２との重みが変化する。ステップＳ２８で求めた第１代表輝度値ＢｖＡｎｓ１は、ステップＳ２４で作成したフラグにしたがって、所定のばらつきの範囲に属する分割領域の測光値に基づいて求められる輝度値であり、被写体の分布などの影響が少なく、安定性の高い輝度値である。一方。ステップＳ３１で求めた第２代表輝度値ＢｖＡｎｓ２は、ステップＳ２４で作成したフラグにかかわらず、全ての分割領域の測光値に基づいて求められる輝度値であり、撮影シーンの特徴に追従した輝度値である。そこで、重み係数Ｋ１１を適切に設定することにより、安定性と撮影シーンへの追従性とのバランスの良い露出演算を行うことができる。
【００７７】
例えば、夕景シーンをシルエットで撮影する場合を考える。このような場合、ステップＳ２８で求めた第１代表輝度値ＢｖＡｎｓ１に基づいて露出演算を行うと、シルエットにならない場合がある。つまり、このような場合には、第２代表輝度値ＢｖＡｎｓ２の重みを大きくするのが好ましい。
【００７８】
したがって、ユーザ操作、被写体分布、電子カメラにおける撮影条件などに応じて、制御部８は、重み係数Ｋ１１を適宜決定する構成としても良い。制御部８は、例えば、被写体認識やシーンモード（風景モードやポートレートモードなど）等に応じて被写体分布を推測することができる。
【００７９】
以下、上記第２実施形態の効果を説明する。第２実施形態の電子カメラでは、測光部により求めた各分割領域の測光値のばらつきの範囲を求め、各分割領域の測光値のうち、ばらつきの範囲に基づく所定の範囲に属する測光値に基づいて、第１代表輝度値とは異なる第２代表輝度値を算出し、第１代表輝度値と第２代表輝度値とを加重平均した第３代表輝度値を画面の明るさとして算出する。そのため、安定性と撮影シーンへの追従性とのバランスの良い測光を行うことができる。
【００８０】
また、第２実施形態の電子カメラでは、測光値の最大値と最小値との差を検出し、検出した差が所定の値未満である場合には、第２代表輝度値のみを用いて第３代表輝度値を算出する。検出した差が小さい場合には、画面に特異な部分が存在しないと推測することができるので、第１代表輝度値のようにばらつきの範囲を考慮せずに演算を行っても問題がない。そのため、ばらつきの範囲を考慮するための演算を省くことにより、演算時間を短縮することができる。
【００８１】
（実施形態の補足事項）
以上、本発明を上記の実施形態によって説明してきたが、本発明の技術的範囲は上記実施形態に限定されるものではない。
【００８２】
（１）例えば、分割測光素子の分割領域の数は１６０個に限定されるものではない。また、被写体の特徴となる情報も上記実施形態に限定されるものではなく、測光装置に必要となる性能に応じて適宜変更することができる。
【００８３】
（２）上記実施形態では、フラグの作成に、標準偏差を用いる例を示したが、本発明では標準偏差に代えて、平均偏差やヒストグラムを用いるようにしてもよい。また、標準偏差、平均偏差、ヒストグラムのうち少なくとも２つを組み合わせてフラグの作成に用いても良い。
【００８４】
（３）上記実施形態の一部または全部を組み合わせて実行しても良い。例えば、第１実施形態のステップＳ６の処理に代えて、第２実施形態のステップＳ２９およびステップＳ３０の処理を行っても良い。この場合には、被写体の特徴となる情報の演算において、撮影シーンへの追従性を重視することができる。また、ユーザ操作や電子カメラの自動認識などによって、上記実施形態の一部または全部を切り換えて実行しても良い。
【００８５】
（４）上記実施形態では本発明のカメラの測光装置が一眼レフレックス型の電子カメラに適用される例を説明したが、本発明は一眼レフレックス型の銀塩カメラやコンパクト型の電子カメラの測光装置にも適用することができる。
【産業上の利用可能性】
【００８６】
本発明は、例えば、一眼レフレックス型の電子カメラおよび銀塩カメラ、またはコンパクト型の電子カメラの分割測光装置に適用することができる。
【符号の説明】
【００８７】
１…カメラ本体，２ａ…撮影レンズ，５…撮像素子，６…測光用再結像レンズ，７…分割測光素子，８…制御部
【図１】
0005581649.tif 000004
【図２】
0005581649.tif 000005
【図３】
0005581649.tif 000006
【図４】
0005581649.tif 000007
【図５】
0005581649.tif 000008